【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
ＲＡＷデータに関して設定された第１光源についての第１ホワイトバランス係数値を算出する第１ホワイトバランス係数値算出手段と、
前記ＲＡＷデータに関して前記第１光源以外の光源についての第２ホワイトバランス係数値を算出する第２ホワイトバランス係数値算出手段と、
前記ＲＡＷデータに前記第１ホワイトバランス係数値を適用して中間ＲＡＷデータを生成する中間ＲＡＷデータ生成処理手段と、
前記第２ホワイトバランス係数値を特定可能な情報を、ホワイトバランス情報として前記中間ＲＡＷデータと関連付けて記憶する記憶手段と、を備えることを特徴とする画像処理装置。
【請求項２】
前記ホワイトバランス情報は、前記第１ホワイトバランス係数値と前記第２ホワイトバランス係数値とを相互に関連付ける値であることを特徴とする請求項１に記載の画像処理装置。
【請求項３】
前記第１ホワイトバランス係数値と前記第２ホワイトバランス係数値とを相互に関連付ける値とは、前記第１ホワイトバランス係数値と前記第２ホワイトバランス係数値との比であることを特徴とする請求項２に記載の画像処理装置。
【請求項４】
前記ホワイトバランス情報は、前記第２ホワイトバランス係数値であることを特徴とする請求項１に記載の画像処理装置。
【請求項５】
前記中間ＲＡＷデータ生成処理手段は、前記ＲＡＷデータに前記第１ホワイトバランス係数値を乗算した後、予め定められた後処理をさらに適用して前記中間ＲＡＷデータを生成し、
前記記憶手段は、前記後処理の処理内容に関する情報を、後処理情報としてさらに記憶することを特徴とする請求項１乃至４のいずれか１項に記載の画像処理装置。
【請求項６】
前記後処理情報が、線形処理か非線形処理かを示す情報を含むことを特徴とする請求項５に記載の画像処理装置。
【請求項７】
設定光源に対するホワイトバランス係数値をＲＡＷデータに適用することにより得られた中間ＲＡＷデータ、及び前記設定光源以外の光源設定に対する前記ＲＡＷデータに係るホワイトバランス情報を記憶する記憶手段と、
光源設定を選択するための光源設定選択手段と、
前記中間ＲＡＷデータよりホワイトバランスの再調整された画像データを生成する画像データ生成処理手段とを備え、
前記画像データ生成処理手段は、前記光源設定選択手段により前記設定光源以外の光源設定が選択された場合、前記中間ＲＡＷデータに基づき、前記選択された光源設定に対する前記ホワイトバランス情報にしたがって前記ホワイトバランスの再調整された画像データを生成処理することを特徴とする画像処理装置。
【請求項８】
前記記憶手段は、前記中間ＲＡＷデータが生成された際、前記ＲＡＷデータに前記ホワイトバランス係数値を乗算した後に行われた処理内容に関する情報を、後処理情報として記憶することを特徴とする請求項７に記載の画像処理装置。
【請求項９】
前記後処理情報が非線形処理を示す場合、前記画像データ生成処理手段は、前記非線形処理の逆処理を行った後に前記ホワイトバランス情報を用いた処理を行い、再度前記後処理情報と同等の処理を行う処理手段を備えることを特徴とする請求項８に記載の画像処理装置。
【請求項１０】
前記後処理情報が非線形処理を示し、且つ前記画像データ生成処理手段が、前記非線形処理の逆処理に対応する処理手段を有していない場合には、前記光源設定選択手段による前記光源設定を不可能とすることを特徴とする請求項８に記載の画像処理装置。
【請求項１１】
ＲＡＷデータに関して設定された第１光源についての第１ホワイトバランス係数値を算出する第１ホワイトバランス係数値算出工程と、
前記ＲＡＷデータに関して前記第１光源以外の光源についての第２ホワイトバランス係数値を算出する第２ホワイトバランス係数値算出工程と、
前記ＲＡＷデータに前記第１ホワイトバランス係数値を適用して中間ＲＡＷデータを生成する中間ＲＡＷデータ生成処理工程と、
前記第２ホワイトバランス係数値を特定可能な情報を、ホワイトバランス情報として前記中間ＲＡＷデータと関連付けて記憶する記憶工程と、を備えることを特徴とする画像処理装置の制御方法。
【請求項１２】
設定光源に対するホワイトバランス係数値をＲＡＷデータに適用することにより得られた中間ＲＡＷデータ、及び前記設定光源以外の光源設定に対する前記ＲＡＷデータに係るホワイトバランス情報を記憶手段に記憶する記憶工程と、
光源設定を選択するための光源設定選択工程と、
前記中間ＲＡＷデータよりホワイトバランスの再調整された画像データを生成する画像データ生成処理工程とを備え、
前記画像データ生成処理工程は、前記光源設定選択工程により前記設定光源以外の光源設定が選択された場合、前記中間ＲＡＷデータに基づき、前記選択された光源設定に対する前記ホワイトバランス情報にしたがって前記ホワイトバランスの再調整された画像データを生成処理することを特徴とする画像処理装置の制御方法。
【請求項１３】
請求項１１又は１２に記載の画像処理装置の制御方法の各工程を、コンピュータに実行させるためのプログラム。
【請求項１４】
請求項１１又は１２に記載の画像処理装置の制御方法の各工程を、コンピュータに実現させるためのプログラムを記憶したコンピュータ読み取り可能な記憶媒体。
【手続補正２】
【補正対象書類名】明細書
【補正対象項目名】０００６
【補正方法】変更
【補正の内容】
【０００６】
デジタルカメラメーカによっては、デジタルカメラと基本的に同じ現像処理をＰＣで実現する専用ソフトを販売している。このような専用ソフトを使用することにより、デジタルカメラで撮影時に設定される各種現像用のパラメータ（以下、現像パラメータと呼ぶ）をＰＣ上で設定し直してＲＡＷデータの現像処理をすることが可能である。したがって、例えば、撮影時に現像パラメータ設定を誤っていても、ＲＡＷデータ形式で撮影していればＰＣ上で適切な現像パラメータを用いて現像処理することが可能である。このためＲＡＷデータ形式は、特に、撮影して得られた画像データをＰＣ上で加工して利用することを前提とするプロカメラマンを中心に、現在広く使用されている。
【手続補正３】
【補正対象書類名】明細書
【補正対象項目名】００３７
【補正方法】変更
【補正の内容】
【００３７】
上記の目的を達成するため、本願のさらに他の実施形態に係る画像処理装置は、
設定光源に対するホワイトバランス係数値をＲＡＷデータに適用することにより得られた中間ＲＡＷデータ、及び前記設定光源以外の光源設定に対する前記ＲＡＷデータに係るホワイトバランス情報を記憶する記憶手段と、
光源設定を選択するための光源設定選択手段と、
前記中間ＲＡＷデータよりホワイトバランスの再調整された画像データを生成する画像データ生成処理手段とを備え、
前記画像データ生成処理手段は、前記光源設定選択手段により前記設定光源以外の光源設定が選択された場合、前記中間ＲＡＷデータに基づき、前記選択された光源設定に対する前記ホワイトバランス情報にしたがって前記ホワイトバランスの再調整された画像データを生成処理することを特徴とする。
【手続補正４】
【補正対象書類名】明細書
【補正対象項目名】００３８
【補正方法】変更
【補正の内容】
【００３８】
上記の目的を達成するため、本願のさらに他の実施形態に係る画像処理装置の制御方法は、
設定光源に対するホワイトバランス係数値をＲＡＷデータに適用することにより得られた中間ＲＡＷデータ、及び前記設定光源以外の光源設定に対する前記ＲＡＷデータに係るホワイトバランス情報を記憶手段に記憶する記憶工程と、
光源設定を選択するための光源設定選択工程と、
前記中間ＲＡＷデータよりホワイトバランスの再調整された画像データを生成する画像データ生成処理工程とを備え、
前記画像データ生成処理工程は、前記光源設定選択工程により前記設定光源以外の光源設定が選択された場合、前記中間ＲＡＷデータに基づき、前記選択された光源設定に対する前記ホワイトバランス情報にしたがって前記ホワイトバランスの再調整された画像データを生成処理することを特徴とする。
【手続補正５】
【補正対象書類名】明細書
【補正対象項目名】００６７
【補正方法】変更
【補正の内容】
【００６７】
さらに本実施形態１の前処理回路４１２では、デジタルカメラ４０１の固体ごとの色ゲインのばらつきに対して、不図示のＲＯＭに記憶された調整値を参照して色ゲインのばらつきを正規化する処理と、オプティカルブラックの減算処理も行うこととする。